(57)【要約】【課題】造営材と平行な方向に小型化しつつ、非常用電源を交換する際の作業性を向上させた照明器具を提供する。【解決手段】照明器具１０は、器具本体１と、カバー部材２と、光源ユニット３と、非常用電源４とを備える。器具本体１は、一面が開口し、開口側を露出させた状態で造営材に埋込配設される。光源ユニット３は、器具本体１の内部において一面側に配置され、非常用電源４は、器具本体１の内部で且つ造営材と平行な方向において光源ユニット３と重ならないように並べて配置される。カバー部材２は、器具本体１の開口を閉塞するようにして器具本体１に取り付けられる。また、カバー部材２は、非常用電源４を器具本体１に収納する際に非常用電源４を挿通させる挿通孔２１を有する。この挿通孔２１は、非常用電源４を器具本体１の底面に投影させた際の外形形状を含む大きさに開口する。【選択図】図１
2015011880.tif 000002
【特許請求の範囲】
【請求項１】
一面が開口し、開口側を露出させた状態で造営材に埋込配設される器具本体と、
前記器具本体の内部において前記一面側に配置される光源ユニットと、
前記器具本体の内部で且つ前記造営材と平行な方向において前記光源ユニットと重ならないように並べて配置される非常用電源と、
外部電源が正常に供給されている状態では前記外部電源により前記非常用電源を充電し、前記外部電源が停電になると前記非常用電源により前記光源ユニットを点灯させる電源装置と、
前記器具本体の開口を閉塞するようにして前記器具本体に取り付けられるカバー部材とを備え、
前記カバー部材は、前記非常用電源を前記器具本体に収納する際に前記非常用電源を挿通させる挿通孔を有し、
前記挿通孔は、前記非常用電源を前記器具本体の底面に投影させた際の外形形状を含む大きさに開口することを特徴とする照明器具。
【請求項２】
前記非常用電源は、前記挿通孔を通して前記器具本体に収納された状態で前記挿通孔の開口端縁に引っ掛けられる引掛部を有していることを特徴とする請求項１記載の照明器具。
【請求項３】
前記非常用電源は、前記カバー部材から突出しないようにして前記器具本体に収納されることを特徴とする請求項１又は２記載の照明器具。
【請求項４】
前記光源ユニットは、発光部と、前記発光部よりも前記カバー部材側に配置されるレンズとを有し、前記レンズと前記カバー部材とが一体に形成されていることを特徴とする請求項１〜３の何れか１項に記載の照明器具。
【請求項５】
前記非常用電源は、少なくとも前記挿通孔を通して前記器具本体に収納された状態で外部に露出する部位が前記カバー部材と同系色であることを特徴とする請求項１〜４の何れか１項に記載の照明器具。
【発明の詳細な説明】
【技術分野】
【０００１】
本発明は、照明器具に関するものである。
【背景技術】
【０００２】
従来より、外部電源の停電時にバッテリを電源として光源を点灯させる非常用の照明器具が多数提供されているが、施工状態のままでバッテリ交換が可能なものも提供されている（例えば特許文献１参照）。
【０００３】
特許文献１に記載された照明器具は、円筒状に形成された器具本体を備え、器具本体の下面にはバッテリを通すための開口部が設けられており、この開口部を閉塞するようにして開閉蓋が取り付けられている。また、器具本体の内部には、開口部に連続するようにしてバッテリ収納部が設けられている。
【０００４】
この照明器具においてバッテリを器具本体に収納する際には、開閉蓋を開けた状態で開口部を通してバッテリをバッテリ収納部側に挿入し、さらにバッテリを水平方向にスライドさせることでバッテリがバッテリ収納部に収納される。
【先行技術文献】
【特許文献】
【０００５】
【特許文献１】特開２００６−１４００６６号公報
【発明の概要】
【発明が解決しようとする課題】
【０００６】
上述の特許文献１に示した照明器具は、施工状態のままでバッテリ交換が可能なものであるが、開口部を通してバッテリ収納部側に挿入したバッテリを水平方向にスライドさせる作業が必要であり、その分作業性がよくなかった。また、バッテリを水平方向にスライドさせる構造であるため、水平方向に器具本体が大型化するものであった。
【０００７】
本発明は上記問題点に鑑みて為されたものであり、その目的とするところは、造営材と平行な方向に小型化しつつ、非常用電源を交換する際の作業性を向上させた照明器具を提供することにある。
【課題を解決するための手段】
【０００８】
本発明の照明器具は、一面が開口し、開口側を露出させた状態で造営材に埋込配設される器具本体と、前記器具本体の内部において前記一面側に配置される光源ユニットと、前記器具本体の内部で且つ前記造営材と平行な方向において前記光源ユニットと重ならないように並べて配置される非常用電源と、外部電源が正常に供給されている状態では前記外部電源により前記非常用電源を充電し、前記外部電源が停電になると前記非常用電源により前記光源ユニットを点灯させる電源装置と、前記器具本体の開口を閉塞するようにして前記器具本体に取り付けられるカバー部材とを備え、前記カバー部材は、前記非常用電源を前記器具本体に収納する際に前記非常用電源を挿通させる挿通孔を有し、前記挿通孔は、前記非常用電源を前記器具本体の底面に投影させた際の外形形状を含む大きさに開口することを特徴とする。
【０００９】
この照明器具において、前記非常用電源は、前記挿通孔を通して前記器具本体に収納された状態で前記挿通孔の開口端縁に引っ掛けられる引掛部を有しているのが好ましい。
【００１０】
また、この照明器具において、前記非常用電源は、前記カバー部材から突出しないようにして前記器具本体に収納されるのも好ましい。
【００１１】
また、この照明器具において、前記光源ユニットは、発光部と、前記発光部よりも前記カバー部材側に配置されるレンズとを有し、前記レンズと前記カバー部材とが一体に形成されているのも好ましい。
【００１２】
また、この照明器具において、前記非常用電源は、少なくとも前記挿通孔を通して前記器具本体に収納された状態で外部に露出する部位が前記カバー部材と同系色であるのも好ましい。
【発明の効果】
【００１３】
本発明の構成によれば、造営材と直交する方向に非常用電源を抜き差しするだけで器具本体に対して非常用電源を着脱することができるので、従来の照明器具に比べて非常用電源を交換する際の作業性を向上させることができる。また、非常用電源を取り付ける際には造営材と直交する方向に非常用電源を差し込むだけでよく、従来の照明器具のように造営材と平行な方向に非常用電源をスライドさせなくてもいいので、造営材と平行な方向に器具本体が大型化するのを抑えることができる。
【図面の簡単な説明】
【００１４】
【図１】本実施形態の照明器具の一例を示す外観図である。
【図２】同上に用いられる非常用電源の一例を示し、（ａ）は斜視図、（ｂ）は平面図である。
【図３】（ａ）〜（ｃ）は同上から非常用電源を取り外す手順を説明する説明図である。
【図４】同上に用いられる非常用電源の別の例を示し、（ａ）は斜視図、（ｂ）は平面図である。
【発明を実施するための形態】
【００１５】
以下に、照明器具の実施形態について図１〜図４を参照しながら説明する。本実施形態の照明器具は、例えば天井に埋込配設される天井埋込型の非常灯であって、商用電源が停電になると光源を点灯させるものである。なお、以下の説明では特に断りがない限り、図１中の上下方向を上下方向と規定して以下の説明を行う。
【００１６】
図１は本実施形態の照明器具の一例を示す外観図である。この照明器具１０は、器具本体１と、カバー部材２と、光源ユニット３と、非常用電源４と、電源装置５とを備える。
【００１７】
器具本体１は、下面が開口し且つ上下方向に長い有底筒状に形成され、器具本体１の筒内には、光源ユニット３、非常用電源４及び電源装置５が収納される。この器具本体１は、開口側（下側）を室内側に露出させた状態で、図示しない天井材（造営材）に埋込配設される。
【００１８】
カバー部材２は、外径寸法が器具本体１の開口寸法より大きく設定された円板状に形成され、器具本体１の開口を閉塞するようにして器具本体１に取り付けられる。カバー部材２において非常用電源４と対応する部位には、非常用電源４を挿通させるための挿通孔２１が設けられている。また、カバー部材２において光源ユニット３の発光部３１と対応する部位には、発光部３１から放射される光を拡散させる円形のレンズ３２が一体に設けられている。
【００１９】
ここに、カバー部材２の挿通孔２１は、非常用電源４を器具本体１の底面に投影させた際の外形形状と略同じ大きさに開口しており、そのため非常用電源４を器具本体１の筒内に収納する際には挿通孔２１を通して収納することができる。つまり、カバー部材２を器具本体１から取り外すことなく、非常用電源４を着脱することができる。
【００２０】
光源ユニット３は、発光ダイオード（ＬＥＤ）を光源とする発光部３１と、カバー部材２と一体に形成され、発光部３１の前方（下方）に配置される円形のレンズ３２とで構成される。この光源ユニット３は、商用電源（外部電源）の停電時に非常用電源４より供給される直流電力によって点灯するものであり、商用電源が正常に供給されている状態では点灯しない。つまり、この光源ユニット３は、商用電源の停電時にのみ点灯する非常用の光源である。
【００２１】
非常用電源４は、図２（ａ）及び図２（ｂ）に示すように、上下方向に長い円筒状に形成された本体部４１を有し、本体部４１の筒内には複数（図２（ａ）では２個）の蓄電池４１ａが上下方向に並べて収納されている。また、本体部４１の上端には、電源装置５に対して上下方向に抜き差しすることで非常用電源４と電源装置５の間を電気的に接続する接続部４２が設けられている。さらに、本体部４１の下寄りの側面には、非常用電源４を取り付ける際に用いられる一対の引掛部４３が設けられている。
【００２２】
各引掛部４３は、例えば板ばねに曲げ加工を施すことで形成され、図２（ｂ）に示すように、下側に行くほど本体部４１から離れるように傾斜する傾斜面と、傾斜面の先端（下端）から本体部４１に沿って下方に延出する平坦面からなる操作片４３ａを有する。また、各操作片４３ａには、例えば平坦面の一部を打ち出すことで形成された突起４３ｂが設けられている。なお、突起４３ｂは打ち出しによるものに限定されず、例えば平坦面の一部を切り起こすことで形成してもいいし、それ以外の方法でもよい。
【００２３】
電源装置５は、光源ユニット３及び非常用電源４にそれぞれ電気的に接続されており、商用電源が正常に供給されている状態では商用電源により非常用電源４を充電し、商用電源が停電になると非常用電源４により光源ユニット３の発光部３１を点灯させる。また、電源装置５において非常用電源４の接続部４２と対応する部位には、接続部４２が電気的に接続される受側の接続部（図示せず）が設けられている。
【００２４】
ここで、図１は器具本体１の筒内に光源ユニット３、非常用電源４及び電源装置５を収納した状態を示している。光源ユニット３は、器具本体１の筒内において開口側（下側）に配置され、非常用電源４は、器具本体１の筒内で且つ光源ユニット３と重ならないようにして横並びに配置されている。また、電源装置５は、器具本体１の筒内において光源ユニット３及び非常用電源４の上側に配置されている。
【００２５】
次に、非常用電源４の交換手順について図３（ａ）〜図３（ｃ）を参照しながら説明する。図３（ａ）は非常用電源４を照明器具１０に取り付けた状態であり、このとき各引掛部４３の突起４３ｂがカバー部材２の挿通孔２１の開口端縁に引っ掛かることで、非常用電源４がカバー部材２に保持されている。
【００２６】
図３（ａ）に示す状態から、作業者が、各引掛部４３の操作片４３ａの下端側を互いに近づく方向（図３（ｂ）中の矢印Ａ方向）に撓めると、各突起４３ｂが互いに近づく方向に変位し、カバー部材２の挿通孔２１の開口端縁との係合状態が解除される。その後、作業者が、各操作片４３ａを撓めた状態のまま、非常用電源４を下方（図３（ｃ）中の矢印Ｂ方向）に引き下げると、非常用電源４の接続部４２と電源装置５の上記接続部の接続状態が解除され、非常用電源４が照明器具１０から取り外される。
【００２７】
また、作業者が、カバー部材２の挿通孔２１を通して非常用電源４を図３（ｂ）に示す位置まで挿入すると、非常用電源４の接続部４２が電源装置５の上記接続部に接続されるとともに、各突起４３ｂが挿通孔２１の開口端縁に引っ掛かる。これにより、非常用電源４が照明器具１０に取り付けられる。
【００２８】
ところで、非常用電源４を照明器具１０に取り付けた状態では、図１に示すように、非常用電源４の本体部４１の下面が外部に露出している。そのため、少なくとも本体部４１の下面をカバー部材２と同系色にするのが好ましく、これにより非常用電源４を目立たなくすることができる。また、非常用電源４を照明器具１０に取り付けた状態では、非常用電源４がカバー部材２から突出しないようにするのが好ましく、これにより外部から衝撃を受けた際に非常用電源４に直接衝撃が加わるのを抑えることができる。
【００２９】
次に、非常用電源４の別の例について図４（ａ）及び図４（ｂ）を参照しながら説明する。なお、引掛部４３以外の構成については上述した非常用電源４と同様であるから、引掛部４３以外の構成については説明を省略する。
【００３０】
各引掛部４３は、図４（ｂ）に示すように、上側に行くほど本体部４１から離れるように傾斜する引掛片４３ｃと、引掛片４３ｃの途中位置から下向きに延出する操作片４３ｄとを有する。
【００３１】
続けて、非常用電源４の交換手順について説明する。
【００３２】
非常用電源４が照明器具１０に取り付けられている状態において、作業者が、各引掛部４３の操作片４３ｄを互いに近づく方向に撓めると、各引掛片４３ｃが本体部４１に近づく方向に変位する。これにより、各引掛片４３ｃとカバー部材２の挿通孔２１の開口端縁との係合状態が解除される。その後、作業者が、各操作片４３ｄを撓めた状態のまま、非常用電源４を下方に引き下げると、非常用電源４の接続部４２と電源装置５の上記接続部の接続状態が解除され、非常用電源４が照明器具１０から取り外される。
【００３３】
また、作業者が、各操作片４３ｄを互いに近づく方向に撓めた状態のまま、カバー部材２の挿通孔２１を通して非常用電源４を器具本体１の所定位置まで挿入すると、非常用電源４の接続部４２が電源装置５の上記接続部に接続される。その後、作業者が、両操作片４３ｄ，４３ｄから手を放すと各引掛片４３ｃが元の位置に戻り、挿通孔２１の開口端縁に引っ掛かる。これにより、非常用電源４が照明器具１０に取り付けられる。
【００３４】
本実施形態によれば、上下方向（造営材と直交する方向）に非常用電源４を抜き差しするだけで器具本体１に対して非常用電源４を着脱することができるので、従来の照明器具に比べて非常用電源４を交換する際の作業性を向上させることができる。また、非常用電源４を取り付ける際には、上向きに非常用電源４を差し込むだけでよく、従来の照明器具のように造営材と平行な方向に非常用電源４をスライドさせなくてもいいので、造営材と平行な方向に器具本体１が大型化するのを抑えることができる。
【００３５】
さらに、カバー部材２の挿通孔２１の開口端縁に引掛部４３の突起４３ｂ（又は引掛片４３ｃ）を引っ掛けるだけで非常用電源４を照明器具１０に取り付けることができる。また、本実施形態のように、光源ユニット３のレンズ３２とカバー部材２とを一体に形成することで、部品間の結合ラインをなくすことができるとともに、コストダウンを図ることができる。
【００３６】
なお本実施形態では、非常用電源４が蓄電池の場合を例に説明したが、非常用電源４は蓄電池に限定されるものではなく、商用電源の停電時において光源ユニット３に直流電力を供給できるものであればよい。また本実施形態では、非常用電源４の本体部４１の下面のみをカバー部材２と同系色としたが、非常用電源４の全体をカバー部材２と同系色としてもよい。つまり、非常用電源４において少なくとも外部に露出する部位がカバー部材２と同系色であればよい。
【００３７】
さらに本実施形態では、カバー部材２に設けた挿通孔２１の開口寸法を、非常用電源４を器具本体１の底面に投影させた際の外形形状と略同じ大きさとしたが、非常用電源４を挿通できる大きさであればよく、上記外形形状より大きくてもよい。つまり、カバー部材２の挿通孔２１が、上記外形形状を含む大きさに開口していればよい。
【００３８】
照明器具１０は、器具本体１と、光源ユニット３と、非常用電源４と、電源装置５と、カバー部材２とを備える。器具本体１は、一面が開口し、開口側を露出させた状態で造営材に埋込配設される。光源ユニット３は、器具本体１の内部において一面側に配置される。非常用電源４は、器具本体１の内部で且つ造営材と平行な方向において光源ユニット３と重ならないように並べて配置される。電源装置５は、外部電源が正常に供給されている状態では外部電源により非常用電源４を充電し、外部電源が停電になると非常用電源４により光源ユニット３を点灯させる。カバー部材２は、器具本体１の開口を閉塞するようにして器具本体１に取り付けられる。また、カバー部材２は、非常用電源４を器具本体１に収納する際に非常用電源４を挿通させる挿通孔２１を有する。挿通孔２１は、非常用電源４を器具本体１の底面に投影させた際の外形形状を含む大きさに開口する。
【００３９】
非常用電源４は、挿通孔２１を通して器具本体１に収納された状態で挿通孔２１の開口端縁に引っ掛けられる引掛部４３を有しているのが好ましい。
【００４０】
非常用電源４は、カバー部材２から突出しないようにして器具本体１に収納されるのも好ましい。
【００４１】
光源ユニット３は、発光部３１と、発光部３１よりもカバー部材２側に配置されるレンズ３２とを有し、レンズ３２とカバー部材２とが一体に形成されているのも好ましい。
【００４２】
非常用電源４は、少なくとも挿通孔２１を通して器具本体１に収納された状態で外部に露出する部位がカバー部材２と同系色であるのも好ましい。
【符号の説明】
【００４３】
１  器具本体
２  カバー部材
３  光源ユニット
４  非常用電源
１０  照明器具
２１  挿通孔
【図１】
2015011880.tif 000003
【図２】
2015011880.tif 000004
【図３】
2015011880.tif 000005
【図４】
2015011880.tif 000006